(57)【特許請求の範囲】
【請求項１】
建物の内部の熱を外部に排出するための建物の排熱システムであって、
建物の床下空間の空気を床上の共用空間に供給させるために収納室の下部に仕切られた下部空間の床に設けられる給気ファンと、
前記下部空間と前記共用空間とを連通させる給気口と、
前記共用空間に連通された居室の面に設けられる通気部と、
前記居室に設けられた開閉可能な窓とを備え、
前記給気ファンは、床開口の周縁から上方に突出させた枠板に取り付けられるとともに、その上方は金枠と網部によって形成される金網によって着脱可能に覆われ、
前記下部空間は、前記収納室の最下段の棚板と、その棚板の下面と前記床との間を塞ぐ仕切板と、前記共用空間に面した壁とによって仕切られるとともに、前記給気口は前記共用空間に面した壁に設けられることを特徴とする建物の排熱システム。
【請求項２】
前記通気部は、前記共用空間に面した居室の上部の壁に設けられることを特徴とする請求項１に記載の建物の排熱システム。
【請求項３】
前記居室の窓の外側を被覆可能に配置される遮熱スクリーンを備えたことを特徴とする請求項１又は２に記載の建物の排熱システム。
【請求項４】
前記居室の壁に前記建物の内部の熱を外部に排出するための排気ファンが取付けられることを特徴とする請求項１乃至３のいずれか一項に記載の建物の排熱システム。
【発明の詳細な説明】
【技術分野】
【０００１】
本発明は、建物の内部の温度上昇を抑えたり、温度が上昇した際に速やかに熱を外部に排出したりするための建物の排熱システムに関するものである。
【背景技術】
【０００２】
従来、床下空間を通過した空気を床に設けた開口を通して床上の階段通路に供給し、建物の内部を上昇させた後に建物の上部から外部に排出させる建物の換気システムが知られている（特許文献１，２参照）。
【０００３】
例えば特許文献１の換気システムには、階段下の床に設けたベースファンによって床下空間の空気を床上の階段通路に取り込み、階段通路を上昇させた空気を２階の居室のドアの上に設けたファンによって居室内に取り込む構成が開示されている。そして、居室に取り込まれた空気は、居室の壁上部に設けられた換気口から外部に排出される。
【０００４】
一方、特許文献３には、階段下空間に設置したファンによって床下空間から取り込まれた空気を、階段の蹴込み板に設けたグリル板のスリットを通して階段通路に供給する床下空気導入口の構造が開示されている。
【先行技術文献】
【特許文献】
【０００５】
【特許文献１】特許第２６９０７２０号公報
【特許文献２】特許第３９７４８７４号公報
【特許文献３】特開平１０−２２０８３０号公報
【発明の概要】
【発明が解決しようとする課題】
【０００６】
しかしながら、特許文献１の換気システムでは、居室のドアの上にファンを設置するため、ファンの運転音によって居室の静寂性が低下するおそれがある。また、従来の換気システムは、建物内部の空気の流れにのみ着目したものが多く、建物内部の温度上昇を抑えるという観点にたって開発されていない。
【０００７】
そこで、本発明は、建物の内部の温度上昇を極力、抑えることが可能な建物の排熱システムを提供することを目的としている。
【課題を解決するための手段】
【０００８】
前記目的を達成するために、本発明の建物の排熱システムは、建物の内部の熱を外部に排出するための建物の排熱システムであって、建物の床下空間の空気を床上の共用空間に供給させるために収納室の下部に仕切られた下部空間の床に設けられる給気ファンと、前記下部空間と前記共用空間とを連通させる給気口と、前記共用空間に連通された居室の面に設けられる通気部と、前記居室に設けられた開閉可能な窓とを備え、前記給気ファンは、床開口の周縁から上方に突出させた枠板に取り付けられるとともに、その上方は金枠と網部によって形成される金網によって着脱可能に覆われることを特徴とする。
【０００９】
ここで、前記通気部は、前記共用空間に面した居室の上部の壁に設けることができる。また、前記居室の窓の外側を被覆可能に配置される遮熱スクリーンを備えた構成とすることができる。
【００１０】
さらに、前記居室の壁に前記建物の内部の熱を外部に排出するための排気ファンが取付けられる構成であってもよい。
【発明の効果】
【００１１】
このように構成された本発明の建物の排熱システムは、床下空間から取り込まれた空気（冷気）を共用空間経由で居室に送り、居室の窓から熱気となった空気などを排出させることが可能な換気経路を備えている。また、居室の窓の外側を被覆することが可能な遮熱スクリーンを配置することもできる。
【００１２】
このため、窓に差し込む太陽光による熱の侵入を防ぐとともに、上述した換気経路により建物の内部空間の温度上昇を最小限に抑えることができる。
【００１３】
また、収納室の下部を仕切って下部空間を設け、そこに給気ファンを配置するのであれば、給気ファンの存在を目立たないようにすることができる。
【００１４】
さらに、通気部を共用空間に面した居室の上部の壁に設けた場合は、居室のドアを閉めたままの状態にしても、常時、共用空間の空気を居室に取り込むことができる。
【図面の簡単な説明】
【００１５】
【図１】本発明の建物の排熱システムの構成を説明するための断面図である。
【図２】給気ファンの構成を説明する斜視図である。
【図３】ガラリが設けられた階段の構成を説明する斜視図である。
【図４】実施例１の建物の排熱システムの構成を説明する平面図である。
【図５】本発明の建物の排熱システムの構成を説明する断面図である。
【発明を実施するための形態】
【００１６】
以下、本発明に関する構成について図面を参照して説明する。図１は、建物としての住宅１の排熱システムの構成を説明する断面図である。
【００１７】
この住宅１は、基礎部１５の上に構築されており、１階の床１３の下には床下空間１４が形成される。また、床１３上には、共用空間としての階段通路１１及び居室としての１階居室１６が形成される。
【００１８】
この階段通路１１には、廻り階段などの階段３が設けられ、壁１６ａを隔てて１階居室１６が面している。また、１階居室１６の上には居室としての２階居室１２が設けられ、２階居室１２も同様に階段通路１１に面している。
【００１９】
この２階居室１２の階段通路１１に面するドア１２ａの上には、壁としての垂れ壁４１が設けられ、その垂れ壁４１には通気部としてのガラリ４が設けられて２階居室１２内と階段通路１１とが常に連通された状態となっている。
【００２０】
また、２階居室１２の南面には、窓としての大型窓５が設けられている。この大型窓５は、住宅１の外側から遮熱スクリーン６によって被覆することができる。
【００２１】
この遮熱スクリーン６は、日射熱や紫外線の大部分を遮断することができる。すなわち、大型窓５を遮熱スクリーン６で被覆することによって、太陽光が差し込む２階居室１２の内部に発生する熱量を大幅に削減することができる。この遮熱スクリーン６には、材質によって、日射熱や紫外線は遮断するが風や光は透過できるものがある。
【００２２】
また、遮熱スクリーン６は、夏季や日差しの強い日には展開させて大型窓５を被覆させ、それ以外のときには巻き取ったり、折り畳んだり、取り外したりして大型窓５の前面から撤去することができる。また、１階居室１６の大型窓５Ａの外側にも同様の遮熱スクリーン６Ａが配置される。
【００２３】
一方、階段通路１１に設けられる階段３は、図１，３に示すように、複数の段板３４，・・・と、上下の段板３４，３４間の隙間を塞ぐ蹴込み板３２，３３とによって主に形成される。
【００２４】
また、階段３の下方側は、裏板３１ａによって塞がれ、段板３４，・・・及び蹴込み板３２，３３と裏板３１ａと床１３とによって囲まれた階段下空間３１が形成される。
【００２５】
さらに、この階段下空間３１内の床１３には、床下空間１４と床上とを連通させるための床開口１３ａが設けられている。そして、この床開口１３ａに、図２に示すような大型の給気ファン２が取り付けられる。
【００２６】
この給気ファン２は、床開口１３ａの周縁から上方に突出させた四角筒状の枠板２１に取り付けられる。また、給気ファン２の上方は、金枠と網部によって形成される金網２２によって、着脱可能に覆われる。
【００２７】
さらに、この給気ファン２が設置される階段下空間３１には、点検口３１ｂから出入りすることができる。そして、給気ファン２から階段下空間３１に供給された空気を階段通路１１に放出させるために、階段３の蹴込み板３３に給気口としてのガラリ３３ａを設ける。このガラリ３３ａによって、階段下空間３１と階段通路１１とが連通される。
【００２８】
また、ガラリ３３ａは、図３に示すように、１段の蹴込み板３３に例えば２箇所ずつ設けられる。さらに、この２箇所に設けられるガラリ３３ａ，３３ａは、蹴込み板３３の両側にそれぞれ寄せて設けられる。
【００２９】
また、ガラリ３３ａ，３３ａを備えた蹴込み板３３は、本実施の形態の階段３では、下から２〜４段目までの３枚が配置される。すなわち、ガラリ３３ａ，３３ａを備えた３枚の蹴込み板３３，・・・は、図１，３に示すように、給気ファン２の側方又は上方に配置される。
【００３０】
他方、床１３に隣接する階段３の最下段の蹴込み板３２には、ガラリを設けない。この最下段の蹴込み板３２にガラリを設けない理由として、床１３に隣接しているためガラリの掃除がしにくい、ガラリから排出される風によって床１３の埃などが舞い上げられてしまう等が挙げられる。
【００３１】
次に、住宅１の排熱システムの作用について説明する。
【００３２】
このように構成された住宅１の排熱システムでは、基礎部１５の外気取込口１５ａから床下空間１４に流れ込んだ冷気（空気）が、給気ファン２によって吸い上げられて階段下空間３１に送り込まれる。
【００３３】
そして、階段下空間３１に送り込まれた冷気は、階段３の２〜４段目に配置された３枚の蹴込み板３３，・・・のガラリ３３ａ，・・・を通って階段通路１１に供給される。
【００３４】
一方、２階居室１２の大型窓５を開けると、住宅１の外部と内部とが連通されることになる。また、この２階居室１２は、ガラリ４によって室内と階段通路１１とが連通された状態となっている。
【００３５】
そして、床下空間１４から冷気として取り込まれて階段通路１１に供給された空気は、ガラリ４を通って２階居室１２に流れ込み、開いた大型窓５から住宅１の外部に排出されることになる。
【００３６】
このため、階段通路１１や２階居室１２に熱気があったとしても、上述した空気の流れ（換気経路）によって住宅１の外部に排出させることで温度上昇を最小限に抑えることができる。また、床下空間１４経由の比較的温度の低い空気が供給されれば、２階居室１２の温度を下げることができる。さらに、このような換気は、大型窓５を少し開けた状態でロックすることで、留守中であってもおこなうことができる。
【００３７】
また、階段通路１１に面した２階居室１２の上部の垂れ壁４１にガラリ４を設けているので、２階居室１２のドア１２ａを閉めたままの状態にしても、常時、階段通路１１の空気を２階居室１２に取り込むことができる。
【００３８】
また、２階居室１２の南面の大型窓５の外側は遮熱スクリーン６によって被覆されているので、２階居室１２に差し込む太陽光による日射熱や紫外線の大部分は遮断される。
【００３９】
このため、大型窓５に差し込む太陽光による住宅１の内部の温度上昇を抑えることができる。また、住宅１の内部に熱が滞留したとしても、大型窓５を開けることで上述した換気経路によって速やかに外部に排出することができる。
【００４０】
さらに、床下空間１４から空気を取り込むための給気ファン２は、階段下空間３１を有効に利用する形態で配置されている。また、階段下空間３１に配置することで、給気ファン２の存在を目立たなくすることができる。
【００４１】
さらに、居室（１２，１６）から離れた階段下空間３１に配置されるのであれば、給気ファン２から発生するモータ音などの騒音が居室（１２，１６）まで聞こえることはほとんどない。
【００４２】
また、階段３の蹴込み板３３，・・・に複数のガラリ３３ａ，・・・を設けることによって一つ当たりの風圧を低減させることができるので、ガラリ３３ａ，・・・から排出される風によって居住者が不快に感じることを抑えることができる。特に、蹴込み板３３の両側にそれぞれ寄せてガラリ３３ａ，３３ａを設けた場合は、階段３の真ん中を昇降する居住者にはほとんど風を感じさせることがない。
【００４３】
さらに、床１３に隣接する階段３の１段目の蹴込み板３２に給気口を設けないことで、掃除などのメンテナンス作業をおこない易くできる。また、給気口から排出される風による床１３の埃の舞い上がりを抑えることができる。
【００４４】
さらに、床１３上の点検口３１ｂから給気ファン２にアプローチすることができるので、床下空間１４に潜らなくてもメンテナンス作業を容易におこなうことができる。
【実施例１】
【００４５】
以下、図４を参照しながら説明する。なお、上述した内容と同一乃至均等な部分の説明については同一符号を付して説明する。
【００４６】
ここまでは、階段３の蹴込み板３３に給気口としてのガラリ３３ａを設ける場合について説明したが、この実施例１では、階段３Ａの手摺壁３５に給気口としてのガラリ３５ａを設ける場合について説明する。
【００４７】
この階段３Ａは、図４に示すように廻り階段となっており、最下段側の左側には手摺壁３５が設けられる。この手摺壁３５は、階段下空間３１（図１参照）の側方を塞ぐように立設されるとともに、隣接する段板３４，・・・より高い位置まで延設されて階段３Ａの手摺り（図示省略）を取り付けることができる。
【００４８】
また、この手摺壁３５は、共用空間としてのホール１７に面して設けられており、ホール１７と階段下空間３１とは手摺壁３５によって遮られている。そこでこの手摺壁３５に、給気口としてのガラリ３５ａを設け、ホール１７と階段下空間３１とを連通させる。
【００４９】
このようにホール１７と階段下空間３１とに面した手摺壁３５にガラリ３５ａを設けることによって、後述する図５によって参照できるように、床下空間１４から壁（手摺壁３５）を通ってホール１７に流れ、２階居室１２を通って外部に排出されるという換気経路を形成することができる。
【実施例２】
【００５０】
以下、本発明の実施例について、図５を参照しながら説明する。なお、上述した内容と同一乃至均等な部分の説明については同一符号を付して説明する。
【００５１】
ここまでは、階段下空間３１に給気ファン２を設置する場合について説明したが、この実施例では、１階居室１６に設けられた収納室８の下部空間８１に給気ファン２が配置された住宅１Ａの排熱システムについて説明する。
【００５２】
この収納室８は、１階居室１６のホール１７に面した位置に設けられる。このため、収納室８の一方の壁１６ｂは、ホール１７に面することになる。また、収納室８の下部に設けられる下部空間８１は、収納室８の最下段の棚板８３と、その棚板８３の下面と床１３との間を塞ぐ仕切板８１ａとによって、収納室８の他の空間から仕切られる。
【００５３】
さらに、下部空間８１の床１３には床開口１３ａが設けられ、床下空間１４と下部空間８１とが連通される。また、下部空間８１のホール１７に面した壁１６ｂには、給気口としてのガラリ８２が設けられる。このガラリ８２によって下部空間８１とホール１７とが連通される。
【００５４】
このように構成された本発明の住宅１Ａの排熱システムでは、基礎部１５の外気取込口１５ａから床下空間１４に流れ込んだ冷気（空気）が、給気ファン２によって吸い上げられて下部空間８１に送り込まれる。そして、下部空間８１に送り込まれた冷気は、壁１６ｂのガラリ８２を通ってホール１７に供給される。
【００５５】
一方、２階居室１２の大型窓５を開けると、住宅１Ａの外部と内部とが連通されることになる。また、この２階居室１２は、ガラリ４によって室内とホール１７とが連通された状態となっている。
【００５６】
そして、床下空間１４から冷気として取り込まれてホール１７に供給された空気は、ガラリ４を通って２階居室１２に流れ込み、開いた大型窓５から住宅１Ａの外部に排出されることになる。
【００５７】
このように収納室８の下部を仕切って下部空間８１を設け、そこに給気ファン２を配置するのであれば、給気ファン２の存在を目立たないようにすることができる。
【００５８】
なお、他の構成及び作用効果については、上述した他の例と略同様であるので説明を省略する。
【００５９】
以上、図面を参照して、本発明の実施例を詳述してきたが、具体的な構成は、この実施例に限らず、本発明の要旨を逸脱しない程度の設計的変更は、本発明に含まれる。
【００６０】
例えば、２階居室１２の垂れ壁４１に通路部としてのガラリ４を設ける場合について説明したが、これに限定されるものではなく、通路部として欄間を設けたり、ドア１２ａを開けたりしてもよい。
【００６１】
また、共用空間（階段通路１１又はホール１７）から２階居室１２に空気を導き、住宅１，１Ａの外部に排出する場合についてのみ説明したが、１階居室１６にも２階居室１２と同様に共用空間と居室内部とを連通させるための通路部を設け、大型窓５Ａを開けたり１階居室１６の壁に排気ファンを取り付けたりして１階居室１６の熱を外部に排出させることができる。なお、排気ファンは、２階居室１２にも設けることができる。
【符号の説明】
【００６２】
１，１Ａ        住宅（建物）
１１            階段通路（共用空間）
１２            ２階居室（居室）
１３            床
１３ａ          床開口
１４            床下空間
１６ｂ          壁
１７            ホール（共用空間）
２              給気ファン
３，３Ａ        階段
３１            階段下空間
３３            蹴込み板
３３ａ          ガラリ（給気口）
３５            手摺壁
３５ａ          ガラリ（給気口）
４              ガラリ（通気部）
４１            垂れ壁
５              大型窓（窓）
６              遮熱スクリーン
８              収納室
８１            下部空間
８１ａ          仕切板
８２            ガラリ（給気口）
【図１】
0005715895.tif 000002
【図２】
0005715895.tif 000003
【図３】
0005715895.tif 000004
【図４】
0005715895.tif 000005
【図５】
0005715895.tif 000006